(57)【要約】  本発明は、電気分解による水素の発生器に関連し、これは、燃焼機関を使用する任意の産業、特にエネルギー、自動車、海事または鉄道産業で使用することができる。本発明による発生器（１）において、流体は、液体の水と電気分解により生成された水素および酸素との分離を回避するために、上昇および下降の動きを伴う経路（１００）をたどるように強制される。このシステムは、ＣＯ２の排出および燃料の消費を大幅に削減するのに役立つ。
2021533276.tif 000002
【特許請求の範囲】
【請求項１】
車両の燃料消費量を低減するためのデバイス（１）であって、
・  エンクロージャ（１０）と、
・  流体が前記デバイス（１）の中に入ることを可能にする入口（１１）と、
・  前記流体が前記デバイス（１）から出ることを可能にする出口（１２）と、
・  区画（６０）の輪郭を描くように前記エンクロージャ（１０）内に配置された多数の導電性プレート（２０）とを含み、
前記多数のプレート（２０）は、第１の方向（１０１）において、第１のエンドプレート（２１）、中間プレート（２５）および第２のエンドプレート（２２）を含み、
前記プレート（２０）の少なくとも１つはアノード（３１）を形成するように配置されおり、前記プレートの他の少なくとも１つはカソード（３２）を形成するように配置されており、
前記デバイス（１）は、前記入口（１１）と前記出口（１２）との間で流体の流れ（１００）を可能にするために交互の形態で配置された下部開口（５１）および上部開口（５２）を含み、２つの連続する区画（６０）間の流体の通過は、１つ若しくは複数の下部開口（５１）または１つ若しくは複数の上部開口（５２）を介してのみ可能であり、前記下部開口（５１）は、前記第１の方向（１０１）に垂直な第２の方向（１０２）に、前記第２の方向（１０２）が垂直方向であるときに、１つの区画（６０）において前記流体が上部に向かって移動し、次の区画において前記流体が下部に向かって移動するようにシフトされた上部開口（５２）になることを特徴とする、デバイス（１）。
【請求項２】
前記下部開口（５１）および前記上部開口（５２）は、前記中間プレート（２５）を貫通する孔を含む、請求項１に記載のデバイス（１）。
【請求項３】
前記下部開口（５１）および前記上部開口（５２）は、前記第１のエンドプレート（２１）を貫通する孔および前記第２のエンドプレート（２２）貫通する孔を含む、請求項１または２に記載のデバイス（１）。
【請求項４】
前記第１のエンドプレート（２１）はアノード（３１）を形成するように配置され、前記第２のエンドプレート（２２）はカソード（３２）を形成するように配置されている、請求項１から３のいずれか一項に記載のデバイス（１）。
【請求項５】
前記第１のエンドプレート（２１）はアノード（３１）を形成するように配置され、前記第２のエンドプレート（２２）はカソード（３２）を形成するように配置され、前記中間プレート（２５）の少なくともいくつかは浮遊電位を形成するように配置されている、請求項１から４のいずれか一項に記載のデバイス（１）。
【請求項６】
前記下部開口（５１）および前記上部開口（５２）がスロットである、請求項１から５のいずれか一項に記載のデバイス（１）。
【請求項７】
前記プレートの各々が１つのスロットのみを含む、請求項６に記載のデバイス（１）。
【請求項８】
前記スロットは、プレートの幅の７０％から９５％の間で形成される、請求項６または７に記載のデバイス（１）。
【請求項９】
２つの連続するプレート（２０）がガスケットまたはスペーサユニットによって互いに距離を置いて保持されている、請求項１から８のいずれか一項に記載のデバイス（１）。
【請求項１０】
・請求項１から９のいずれか一項に記載のデバイス（１）の少なくとも１つと、
・流体を前記入口（１１）と前記出口（１２）との間で循環させるように配置されたポンプ（２０２）と、
・前記アノード（３１）に接続され、前記カソード（３２）に接続された電力供給デバイスとを含むシステム。
【請求項１１】
燃焼デバイス（２０６）と、前記出口（１２）を前記燃焼デバイス（２０６）の入口に接続する流体の流れの手段とをさらに備える、請求項１０に記載のシステム。
【請求項１２】
流体の流れの前記手段が濾過デバイスを含む、請求項１１に記載のシステム。
【請求項１３】
流体の流れの前記手段が逆流防止デバイスを含む、請求項１２に記載のシステム。
【請求項１４】
請求項１から９のいずれか一項に記載のデバイス（１）、または請求項１０から１３のいずれか一項に記載のシステムを備える、自動車などの車両。
【請求項１５】
前記第２の方向（１０２）が垂直である請求項１から９のいずれか一項に記載のデバイス（１）または請求項１０から１３のいずれか一項に記載のシステムを備える、自動車などの車両。
【請求項１６】
（ａ）請求項１から９のいずれか一項に記載のデバイス（１）、請求項１０から１３のいずれか一項に記載のシステムまたは請求項１４に記載の車両を供給するステップと、
（ｂ）前記デバイス（１）の前記入口（１１）に流体を供給し、前記デバイス（１）の前記入口（１１）と前記出口（１２）との間で前記流体を循環させるステップと、
（ｃ）前記アノード（３１）と前記カソード（３２）との間に電位差を印加するステップとを含む、水素を生成するための方法。
【発明の詳細な説明】
【技術分野】
【０００１】
本発明は、水の電気分解を通して水素を生成させることにより、車両の燃料消費量を低減するためのデバイスに関する。
【背景技術】
【０００２】
文献ＣＡ２７０８１３９Ａ１は、水の電気分解を通して水素を生成するためのデバイスを開示している。このデバイスは、互いに平行な一連の垂直プレートを含む。プレートは不浸透性のセルを描いている。水の電気分解はこれらのセルの各々において生成することができる。
【０００３】
電気分解の間に、水は気体水素および気体酸素に変換される。これらの気体は液体の水よりも軽いため、（この文献の第７頁に示されているように）セルの上部に優先的に配置され、電気分解反応が続くにつれて水はセルの下部に優先的に配置される。それから電気分解はとりわけセルの下部で生成され、これは水素の生成を時間の経過とともに減少させる。さらに、デバイスは、時間の経過にわたるこの低減を有していても、十分な割合で生産を維持できるようにするには、大きさを大きくしなければならない。
【０００４】
文献ＵＳ５２９２４０５は、電解セルを開示している。
【０００５】
文献ＵＳ２００９／１６６１９１  Ａ１は、電気分解によって気体を生成するための装置を開示している。
【０００６】
文献ＵＳ３９７５２４７は、廃棄物の処理、並びに水および使用可能な固形物の回収のためのシステムを開示している。
【０００７】
文献ＧＢ３６５９８３は、硫化水素をフェロシアン化カリウムで酸化することによる気体の精製の間に形成されるフェロシアン化カリウムを電解的に活性化するための装置を開示している。
【先行技術文献】
【特許文献】
【０００８】
【特許文献１】カナダ国特許出願公開２７０８１３９号明細書
【特許文献２】米国特許第５２９２４０５号明細書
【特許文献３】米国特許出願公開第２００９／１６６１９１号明細書
【特許文献４】米国特許第３９７５２４７号明細書
【特許文献５】英国特許出願公開３６５９８３号明細書
【発明の概要】
【課題を解決するための手段】
【０００９】
本発明の目的の１つは、変動率が少なく、特にコンパクトで軽量な、水の電気分解を通して水素を生成するためのデバイスを提供することである。この目的のために、本発明は、車両の燃料消費を低減するためのデバイスであって、
・  エンクロージャと、
・  流体がデバイスの中に入ることを可能にする入口と、
・  流体がデバイスから出すことを可能にする出口と、
・  区画の輪郭を描くようにエンクロージャ内に配置された多数の導電性プレートとを含み、
多数のプレートは、第１の方向に、第１のエンドプレート、中間プレートおよび第２のエンドプレートを含み、
プレートの少なくとも１つはアノードを形成するように配置され、プレートの他の少なくとも１つはカソードを形成するように配置されており、
デバイスは、入口と出口との間の流体の流れを可能にするために交互の形態で配置された下部開口および上部開口を含み、２つの連続する区画間の流体の通過は１つまたは複数の下部開口を通して、または１つまたは複数の上部開口を通してのみ可能であり、下部開口は上部開口が第１の方向に垂直な第２の方向にシフトされたものであることを特徴とするデバイスを提供する。
【００１０】
本発明によるデバイスは、水素を生成することを可能にする。水素は次いで、炭化水素燃料の燃焼効率を大幅に改善するために、燃焼を改善するための作用剤として車両内で使用される。本発明によるデバイスの内部では、流体は、エンクロージャの入口と出口との間で、１つの区画から他の区画を通過するように強制される。１つの区画から隣接する区画へ通過するために、プレートの「上」の開口とプレートの「下」の開口を交互に通過しなければならない。従って、区画の内部で垂直方向の動きを実行しなければならず、これは区画の内部で液体と気体との間の分離を防止する。結果として、区画の下部開口と上部開口との間のプレートの表面全体が電気分解を実行するために使用される。これは、既知のデバイスよりも安定した水素の生成率を得ることを可能にする。
【００１１】
本発明によるデバイスは、流体を第２の方向に移動させるよう強制するように配置されており、１つの区画において、流体は上に向かって変位し、次の区画において、流体は下に向かって変位する。換言すると、１つのプレートは下部開口および上部開口を同時に含まない。従って、本発明によるデバイスは、プレートが下部開口および上部開口を同時に含む、文献ＵＳ２００９／１６６１９１  Ａ１に開示されているデバイスとは明確に区別される。
【００１２】
区画間の唯一の開口は、下部開口または上部開口である。１つの区画は、好ましくは、１つまたは複数の下部開口のみを有する壁またはプレートにより第１の側から区切られ、および１つまたは複数の上部開口を有する壁またはプレートにより、第１の方向において第１の側の反対側にある第２の側から区切られる。各開口は、例えばスロットなどの少なくとも１つの孔を含む。
【００１３】
本発明によるデバイスは、デバイスが携帯可能であるため、生成される全ての水素を直接使用することを可能にする。これは従って、この特に爆発性のガスの貯蔵を防止する。
【００１４】
プレートは、優先的に１または２ｍｍの距離だけ離間される。プレートは優先的に剛性である。それにもかかわらず、本発明の枠組み内に留まりながら、それらは柔軟であり得る。プレートは優先的に平坦である。それにもかかわらず、本発明の枠組み内に留まりながら、それらは湾曲し得る。プレートは優先的に本質的に平行である。
【００１５】
入口を通過する流体は、電解質水溶液である。これは、例えば、少なくとも部分的に鉱質除去された水、雨水またはＮａＯＨの水溶液などであり得る。
【００１６】
デバイスは、アノードを正電位に接続することができ、カソードを負電位に接続することができるように配置されている。
【００１７】
本開示の枠組み内では、「水素」は二水素分子である。本開示の枠組み内では、「酸素」は二酸素分子である。
【００１８】
入口は、好ましくはエンクロージャにおける開口を含む。出口は、好ましくはエンクロージャにおける開口を含む。
【００１９】
エンクロージャは、プレキシガラスなどのポリメチルメタクリレートであり得る。
【００２０】
本発明の一実施形態では、下部開口および上部開口は、中間プレートを貫通する孔を含む。
【００２１】
本発明の一実施形態では、下部開口および上部開口は、第１のエンドプレートを通過する孔および第２のエンドプレートを通過する孔を含む。
【００２２】
本発明の一実施形態では、第１のエンドプレートはアノードを形成するように配置され、第２のエンドプレートはカソードを形成するように配置される。それらは、例えば、電力供給デバイスに接続され得る。
【００２３】
本発明の一実施形態では、第１のエンドプレートはアノードを形成するように配置され、第２のエンドプレートはカソードを形成するように配置され、中間プレートの少なくともいくつかは浮遊電位を形成するように配置されている。
【００２４】
換言すると、この実施形態では、中間プレートは、固体導体によって外部電位と接続されていない。
【００２５】
本発明の一実施形態では、下部開口および上部開口はスロットである。本発明者は試験を実施し、スロットが一連の孔よりも良好な歩留まりを可能にすることを観察した。実際、開口面が等しい場合、摩擦の影響は孔に関連してスロットに対して低減される。
【００２６】
スロットは、好ましくは第１および第２の方向に垂直な第３の方向に延在する。
【００２７】
好ましくは、プレートの各々は１つのスロットのみを含む。これは、流体とプレートとの間の接触の長さを最大化することを可能にしている。
【００２８】
好ましくは、スロットはプレートの幅の７０％から９５％の間を含む。プレートの幅は、第３の方向における範囲である。
【００２９】
本発明の一実施形態では、少なくとも２つの隣接するプレートが同じ材料から作られている。これはデバイスの製造を簡素化し、コストを低減する。
【００３０】
本発明の一実施形態では、プレートは金属である。
【００３１】
本発明の一実施形態では、プレートは、ステンレス鋼、および／または白金、および／または金で作られている。
【００３２】
本発明の一実施形態では、２つの連続するプレートは、ジョイントまたはスペーサユニットにより互いに距離を置いて保持されている。ジョイントまたはスペーサユニットは、例えばシリコーンまたはゴムから作られている。
【００３３】
本発明はさらに、
・  本発明の一実施形態による少なくとも１つのデバイスと、
・  入口と出口との間で流体を循環させるように配置されたポンプと、
・  １つはアノードに接続され、もう１つはカソードに接続されている電力供給デバイスを含むシステムを提案している。
【００３４】
電力供給デバイスは、好ましくはポンプに電力を供給することをさらに可能にしている。
【００３５】
本発明の一実施形態では、システムは、連続するように配置された多数の本発明による水素を生成するためのデバイスを含む。本発明による第１のデバイスの出口は、第２のデバイスの入口に流体的に接続され、同様に続く。
【００３６】
本発明の一実施形態では、システムはさらに燃焼デバイスおよび出口を燃焼デバイスの入口に接続する流体の流れの手段を含む。
【００３７】
本開示の枠組み内で、燃焼デバイスは、燃焼、好ましくは化石燃料の燃焼が生成される任意のデバイスであり得る。これは、例えば、内燃機関または燃焼ボイラであり得る。
【００３８】
本発明者は、流量計の前（または場合によってはその後ろ）の接続が、燃焼デバイスのＣＯ２排出量の７０％（または９０％）の低減を可能にすることを実験的に測定した。本発明によるデバイスはまた、燃焼デバイスの燃料消費を低減することを可能にしている。
【００３９】
本発明の一実施形態では、流体の流れの手段は濾過デバイスを含む。このデバイスは、水が燃焼デバイスの中に注入されるのを防止することを可能にする。
【００４０】
本発明の一実施形態では、流体の流れの手段は逆流防止デバイスを含む。このデバイスはフレイム（ｆｌａｍｅｓ）の如何なる戻りを防止することを可能にする。
【００４１】
本発明はさらに、本発明によるデバイスまたはシステムを含む車両を提案する。デバイスは、第２の方向が垂直方向であるように車両内に設置されている。
【００４２】
本発明はさらに、
（ａ）本発明によるデバイス、システムまたは車両を供給するステップと、
（ｂ）デバイスの入口に流体を供給し、デバイスの入口と出口との間で流体を循環させるステップと、
（ｃ）アノードとカソードとの間に電位差を印加するステップとを含む、水素を生成するための方法を提案している。
【００４３】
デバイスについて述べられた利点は、必要な変更を加えて方法に適用される。
【図面の簡単な説明】
【００４４】
本発明の他の特徴および利点は、添付の図面に関連して述べられるものを理解するために以下に提供される詳細な説明を読むことから明らかになるであろう。
【図１】本発明の第１の実施形態によるデバイスの側面断面である。
【図２】本発明の第２の実施形態によるデバイスの側面断面である。
【図３】本発明の第３の実施形態によるデバイスの側面断面である。
【図４ａ】デバイスの一実施形態で使用されるプレート２０の正面図である。
【図４ｂ】デバイスの一実施形態で使用されるプレート２０の正面図である。
【図５ａ】デバイスの一実施形態で使用されるプレート２０の正面図である。
【図５ｂ】デバイスの一実施形態で使用されるプレート２０の正面図である。
【図６】本発明によるシステムの一実施形態を示す概略図である。
【発明を実施するための形態】
【００４５】
本発明は、特定の実施形態を用いて説明され、および図面を参照するが、本発明はこれらに限定されない。記載されている図表または図面は概略的なものであり、限定的なものではない。
【００４６】
図面において、同一または類似の要素は、同じ参照番号を示し得る。
【００４７】
図１は、本発明の一実施形態による、水素を生成するためのデバイス１の垂直面における断面図を示す。
【００４８】
図１は、第１の方向１０１、および第１の方向１０１に垂直な第２の方向１０２について１つの好ましい可能性を視覚化することを可能にしている。第１の方向１０１は、デバイス１内の流体の全体的な動きに対応している。それは好ましくは水平方向である。第２の方向１０２は好ましくは垂直方向である。
【００４９】
デバイス１は、流体がエンクロージャ１０の中に入ることを可能にさせる入口１１と、流体がエンクロージャ１０から出ることを可能にさせる出口とを備えたエンクロージャ１０を含む。デバイス１は、入口１１と出口１２との間で流体を導くように配置されている。
【００５０】
デバイス１は、エンクロージャ１０の内部にプレート２０を含む。それらは、好ましくは垂直方向である。それらは、好ましくはエンクロージャ１０に固定されている。プレート２０は、好ましくは第１の方向１０１に垂直方向であり、この方向に間隔を置いて配置されている。プレート２０は、以下の順序で第１の方向１０１に互いに続く。
・  第１のエンドプレート２１
・  多数の中間プレート２５、および
・  第２のエンドプレート２２
【００５１】
プレート２０は、エンクロージャ１０の少なくとも一部を区画６０に分割する。区画６０は、下部開口５１および上部開口５２によってのみそれらの間で流体的に接続されている。下部開口５１および上部開口５２は、入口１１と出口１２との間の流体の流れ１００を可能にしている。
【００５２】
下部開口５１は、上部開口５２に対して第２の方向１０２に空間的にシフトされている。従って、上部開口５２は、下部開口５１よりも高い。
【００５３】
デバイス１内を移動する流体は、少なくとも１つの下部開口５１および少なくとも１つの上部開口５２を交互に通過することにより、１つの区画６０から他の区画６０へと通過する。換言すると、デバイス１の内部の流体の流れ１００は、正弦波形態または蛇行形態などの上昇形態および下降形態を有している。２つの連続する区画間の流体の通過は、１つまたは複数の下部開口および１つまたは複数の上部開口を同時に介してではなく、１つ若しくは複数の下部開口または１つ若しくは複数の上部開口を介してのみ可能である。
【００５４】
デバイス１内のその流体の流れ１００の間に、流体は、少なくとも部分的に化学的に変換され、少なくとも部分的に相を変化させる電気分解反応を受ける。入口１１では、流体は本質的に水溶液である。出口１２では、流体は気体状の水素および酸素を含む。入口１１と出口１２との間で、流体は液体と気体の混合物を含む。
【００５５】
出口１２は、流体の液体部分が出るように配置された第１の通路、および流体の気体部分が出るように配置された第２の通路などの多数の通路を含み得る。
【００５６】
プレート２０は、電気を伝導することができる。プレートの少なくとも１つは、アノード３１を形成するように配置され、プレートの少なくとも１つは、カソード３２を形成するように配置されている。アノード３１およびカソード３２は、電力供給デバイス２０３に接続されるように配置されている（図６）。
【００５７】
好ましくは、第１のエンドプレート２１または第２のエンドプレート２２はアノードを形成し、これらの２つのプレートの他方はカソードを形成する。好ましくは、中間プレート２５の少なくともいくつかは、浮遊電位を形成するように配置されている。従って、中間プレート２５の電位は、周囲条件、特に、第１のエンドプレート２１および第２のエンドプレート２２の電位によって決定される。
【００５８】
好ましくは、全てのプレート２０は同じ材料から作られる。具体的には、２つの連続するプレートは、好ましくは同じ材料から作られる。この材料は、優先的にはステンレス鋼などの金属である。
【００５９】
好ましくは、プレート２０は、プレート２０とエンクロージャ１０との接続部の近くに位置するジョイントまたはスペーサユニット（図示せず）によって互いに分離されている。
【００６０】
ジョイント（図示せず）はまた、この接合の締結を確実にするために、各プレートとエンクロージャとの間の接合に存在することができる。
【００６１】
図１は、下部開口５１および上部開口５２が、第１のエンドプレート２１を通過する少なくとも１つの孔および第２のエンドプレート２２を通過する少なくとも１つの孔とともに、中間プレート２５を通過する孔を含む、デバイス１の一実施形態を示している。
【００６２】
図２は、下部開口５１および上部開口５２がプレート２０とエンクロージャ１０との間の孔を含む、デバイス１の一実施形態を示している。
【００６３】
図３は、下部開口５１および上部開口５２が中間プレート２５を貫通する孔を含み、第１のエンドプレート２１および第２のエンドプレート２２が密閉されている、デバイス１の一実施形態を示している。
【００６４】
図１から３に示されるように、入口１１は、第１の開口に対して第２の方向１０２にシフトされることが好ましい。さらに、出口１２は、最後の開口に対して第２の方向１０２にシフトされることが好ましい。
【００６５】
本発明の枠組み内にとどまりながら、多数のプレートが以下の順序で含むことが可能である：
・  第１のアノード３１を形成する第１のエンドプレート２１
・  浮遊電位を有する中間プレート２５
・  第１のカソード３２を形成する中間プレート２５
・  浮遊電位を有する中間プレート２５
・  第２のアノード３１を形成する中間プレート２５
・  浮遊電位を有する中間プレート２５
・  場合により他のプレート、および
・  「ｎ番目」のカソード３２を形成する第２のエンドプレート２２。
【００６６】
本発明の枠組み内で、アノードおよびカソードのそれぞれの位置を逆にしてもよい。
【００６７】
図４ａは、下部開口５１を形成する円形の孔を含むプレート２０の正面図である。
【００６８】
図４ｂは、下部開口５１を形成するスロットを含むプレート２０の正面図である。プレート２０は、１つのスロットのみを含む。スロットは、第１の方向１０１および第２の方向１０２に対して垂直方向である第３の方向１０３に延びる。
【００６９】
図５ａは、上部開口５２を形成する円形の孔を含むプレート２０の正面図である。
【００７０】
図５ｂは、上部開口５２を形成するスロットを含むプレート２０の正面図である。プレート２０は、１つのスロットのみを含む。スロットは、第３の方向１０３に延びる。
【００７１】
図６は、本発明によるシステムの一実施形態を示す概略図である。本システムは、本発明による水素を生成するための１つまたは複数のデバイス１、流体のリザーバ２０１並びに流体をリザーバ２０１からデバイス１に向かって、デバイス１内へおよびデバイス１から下流へ循環させるポンプ２０２を備えている。本システムはさらに、ポンプ２０２および水素を生成するためのデバイス１を供給する電力供給デバイス２０３を備えている。好ましくは、電力供給デバイス１は、電極間の電流および／または電極への電位などの水素の生成を調整することを可能にするコントローラ２０４により制御される。電力供給デバイス２０３は、デバイス１のアノード３１およびカソード３２に接続されている。
【００７２】
システムはさらに、好ましくは、燃焼デバイス２０６をさらに含み、その１つの入口は、流体の流れの手段により水素を生成するためのデバイス１の出口１２に接続されている。
【００７３】
流体の流れのこの手段は、好ましくは、１つまたは複数の濾過デバイス２０５および／または１つまたは複数の逆流防止デバイス２０５を含む。濾過は、流体内に残っている水を除去することを可能にする。この濾過を実行するために、流体内に残っている水がリザーバ２０１内に保持されるように、流体がリザーバ２０１を通って戻ることが可能である。濾過デバイスは、少なくとも１つのバブラデバイス（または英語で「ｂｕｂｂｌｅｒ」）を含み得る。逆流防止デバイスは、流体の後方への如何なる移動および／またはフレイム（ｆｌａｍｅｓ）の如何なる戻りを防止する。それは例えば、バルブを含む。
【００７４】
流体は、燃焼デバイス２０６に入るときに、好ましくは水素および／または酸素のみを含む。燃焼デバイス２０６に入るために、流体は好ましくは、インジェクタ、エアフィルタ、または追加のインジェクタを経由してエントリーコレクタを通過する。
【００７５】
さらに、システムは、デバイス１を冷却するように配置された送風機（図示せず）を備え得る。
【００７６】
さらに、システムは、リザーバ２０１内の流体のレベルを監視するためのゲージを備え得る。このため、車両の場合、ダッシュボードは、リザーバ２０１内の流体のレベルを表示することができる。
【００７７】
換言すると、本発明は、特に自動車産業、海事産業および鉄道産業において、制限なく使用可能である、電気分解により水素を生成するためのデバイス１に関する。本発明によるジェネレータ１において、流体は、液体の水と電気分解により生成された水素および酸素との間の如何なる分離を防止するために、上昇および下降の動きを伴う経路１００を強制的にたどる。
【００７８】
本発明は、純粋に例示的な価値を有し、限定的であると見なされてはならない特定の実施形態に関連して説明されてきた。一般的に、本発明は、上記で描写および／または説明された実施例に限定されない。動詞「含む（ｃｏｍｐｒｉｓｅ）」、「含む（ｉｎｃｌｕｄｅ）」、「成る（ｃｏｎｓｉｓｔ）」またはその他の変形の使用、およびそれらの結合は、記載されている要素以外の要素の存在を排除することはできない。要素を導入するために使用されるフランス語の不定冠詞または定冠詞の使用は、これらの要素の多様性の存在を排除するものではない。請求項内の参照番号は、その範囲を制限するものではない。
【符号の説明】
【００７９】
１  水素を生成するためのデバイス
１０  エンクロージャ
１１  入口
１２  出口
２０  プレート
２１  第１のエンドプレート
２２  第２のエンドプレート
２５  中間プレート
３１  アノード
３２  カソード
５１  下部開口
５２  上部開口
６０  区画
１００  流体の流れ
１０１  第１の方向
１０２  第２の方向
１０３  第３の方向
２０１  リザーバ
２０２  ポンプ
２０３  電力供給デバイス
２０４  コントローラ
２０５  濾過デバイスまたは逆流防止デバイス
２０６  燃焼デバイス
【図１】
2021533276.tif 000003
【図２】
2021533276.tif 000004
【図３】
2021533276.tif 000005
【図４ａ】
2021533276.tif 000006
【図４ｂ】
2021533276.tif 000007
【図５ａ】
2021533276.tif 000008
【図５ｂ】
2021533276.tif 000009
【図６】
2021533276.tif 000010
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
−  車両の燃料消費量を低減するための少なくとも１つのデバイス（１）であって、前記少なくとも１つのデバイス（１）は、
・  エンクロージャ（１０）と、
・  流体が前記デバイス（１）の中に入ることを可能にする入口（１１）と、
・  前記流体が前記デバイス（１）から出ることを可能にする出口（１２）と、
・  区画（６０）の輪郭を描くように前記エンクロージャ（１０）内に配置された多数の導電性プレート（２０）とを含み、
前記多数のプレート（２０）は、第１の方向（１０１）において、第１のエンドプレート（２１）、中間プレート（２５）および第２のエンドプレート（２２）を含み、
前記多数のプレート（２０）は、以下の順番で、
−  第１のアノード（３１）を形成する前記第１のエンドプレート（２１）、
−  浮遊電位を有する中間プレート（２５）、
−  第１のカソード（３２）を形成する中間プレート（２５）、
−  浮遊電位を有する中間プレート（２５）、
−  第２のアノードを（３１）形成する中間プレート（２５）、
−  浮遊電位を有する中間プレート（２５）、および
−  第２のカソード（３２）を形成する前記第２のエンドプレート（２２）を含み、
前記少なくとも１つのデバイス（１）は、前記入口（１１）と前記出口（１２）との間で流体の流れ（１００）を可能にするために交互の形態で配置された下部開口（５１）および上部開口（５２）を含み、２つの連続する区画（６０）間の流体の通過は、１つ若しくは複数の下部開口（５１）または１つ若しくは複数の上部開口（５２）を介してのみ可能であり、前記下部開口（５１）は、前記第１の方向（１０１）に垂直な第２の方向（１０２）に、前記第２の方向（１０２）が垂直方向であるときに、１つの区画（６０）において前記流体が上部に向かって移動し、次の区画において前記流体が下部に向かって移動するようにシフトされた上部開口（５２）になる少なくとも１つのデバイス（１）と、
−  流体を前記入口（１１）と前記出口（１２）との間で循環させるように配置されたポンプ（２０２）と、
−  前記アノード（３１）に接続され、および前記カソード（３２）に接続された電力供給デバイスと、
−  燃焼デバイス（２０６）と、
−  前記出口（１２）を前記燃焼デバイス（２０６）の入口に接続する流体の流れの手段とを含むシステム。
【請求項２】
前記下部開口（５１）および前記上部開口（５２）は、前記中間プレート（２５）を貫通する孔を含む、請求項１に記載のシステム。
【請求項３】
前記下部開口（５１）および前記上部開口（５２）は、前記第１のエンドプレート（２１）を貫通する孔および前記第２のエンドプレート（２２）貫通する孔を含む、請求項１または２に記載のシステム。
【請求項４】
前記下部開口（５１）および前記上部開口（５２）がスロットである、請求項１から３のいずれか一項に記載のシステム。
【請求項５】
前記プレートの各々が１つのスロットのみを含む、請求項４に記載のシステム。
【請求項６】
前記スロットは、プレートの幅の７０％から９５％の間で形成される、請求項４または５に記載のシステム。
【請求項７】
２つの連続するプレート（２０）がガスケットまたはスペーサユニットによって互いに距離を置いて保持されている、請求項１から６のいずれか一項に記載のシステム。
【請求項８】
前記多数のプレート（２０）の全てのプレートは、矩形の形をしており、および前記第２の方向（１０２）に延在している、請求項１から７のいずれか一項に記載のシステム。
【請求項９】
前記多数のプレート（２０）の全てのプレートは、同じ材料で作られている、請求項１から８のいずれか一項に記載のシステム。
【請求項１０】
流体の流れの前記手段が濾過デバイスを含む、請求項９に記載のシステム。
【請求項１１】
流体の流れの前記手段が逆流防止デバイスを含む、請求項１０に記載のシステム。
【請求項１２】
請求項１から１１のいずれか一項に記載のシステムを備える、自動車などの車両。
【請求項１３】
前記第２の方向（１０２）が垂直である請求項１から１１のいずれか一項に記載のシステムを備える、自動車などの車両。
【請求項１４】
（ａ）請求項１から１１のいずれか一項に記載のシステムまたは請求項１２に記載の車両を供給するステップと、
（ｂ）前記少なくとも１つのデバイス（１）の前記入口（１１）に流体を供給し、前記少なくとも１つのデバイス（１）の前記入口（１１）と前記出口（１２）との間で前記流体を循環させるステップと、
（ｃ）前記第１のアノード（３１）と前記第１のカソード（３２）との間、および前記第２のアノード（３１）と前記第２のカソード（３２）との間に電位差を印加するステップとを含む、水素を生成するための方法。
【国際調査報告】
2021533276.tif 000011
2021533276.tif 000012
2021533276.tif 000013
2021533276.tif 000014
2021533276.tif 000015